(57)【特許請求の範囲】
【請求項１】
ニアフィールド通信（ＮＦＣ）対応デバイスにおいて、技術検出プロセスの一部として前記ＮＦＣ対応デバイスによって変調されない無線周波数（ＲＦ）電界を生成することと、
待機持続時間の少なくとも一部分の間前記ＲＦ電界を監視することと、
前記待機持続時間中に、ＮＦＣ技術の変調特性に一致する様式で前記ＲＦ電界が変調されるかどうかを判断することと、
前記ＮＦＣ技術の変調特性に一致する様式で前記ＲＦ電界が変調されるとの前記判断時に前記技術検出プロセスを終了することと
を備える、ワイヤレス通信の方法。
【請求項２】
前記ＮＦＣ技術が、ＮＦＣタイプ−Ａ、ＮＦＣタイプ−Ｂ、またはＮＦＣタイプ−Ｆのうちの少なくとも１つに基づく、請求項１に記載の方法。
【請求項３】
前記待機持続時間の満了時に前記技術検出プロセスを続けること
をさらに備える、請求項１に記載の方法。
【請求項４】
前記ＮＦＣ技術の変調特性に一致する様式で前記ＲＦ電界が変調されないとの判断時に、および前記待機持続時間の満了時に前記技術検出プロセスを続けること
をさらに備える、請求項１に記載の方法。
【請求項５】
前記ＲＦ電界がタグトークファースト（ＴＴＦ）デバイスによって変調される、請求項１に記載の方法。
【請求項６】
前記ＮＦＣ対応デバイスが、前記ＴＴＦデバイスを検出するように構成され、ここにおいて、前記待機持続時間がＴＴＦデバイス定義持続時間である、請求項５に記載の方法。
【請求項７】
前記待機持続時間が、前記技術検出プロセスの一部として定義されるガードタイムである、請求項１に記載の方法。
【請求項８】
前記待機持続時間が、前記技術検出プロセスの一部として定義されるガードタイム、またはＴＴＦデバイス定義持続時間のいずれよりも長い持続時間として選択される、請求項１に記載の方法。
【請求項９】
前記ＲＦ電界は、前記ＮＦＣ技術の前記変調特性に関連する負荷がしきい値を上回るときに変調されると判断される、請求項１に記載の方法。
【請求項１０】
前記判断することは、
データを受信することと、ここにおいて、前記データの少なくとも一部分が前記待機持続時間の満了より前に受信される、
前記データを処理することと、
前記データを上位レイヤに通知することと
をさらに備える、請求項１に記載の方法。
【請求項１１】
ニアフィールド通信（ＮＦＣ）対応デバイスにおいて、技術検出プロセスの一部として前記ＮＦＣ対応デバイスによって変調されない無線周波数（ＲＦ）電界を生成することと、
待機持続時間の少なくとも一部分の間前記ＲＦ電界を監視することと、
前記待機持続時間中に、ＮＦＣ技術の変調特性に一致する様式で前記ＲＦ電界が変調されるかどうかを判断することと、
前記ＮＦＣ技術の変調特性に一致する様式で前記ＲＦ電界が変調されるとの前記判断時に前記技術検出プロセスを終了することと
を行うためのコードを備えるコンピュータプログラム。
【請求項１２】
前記ＮＦＣ技術が、ＮＦＣタイプ−Ａ、ＮＦＣタイプ−Ｂ、またはＮＦＣタイプ−Ｆのうちの少なくとも１つに基づく、請求項１１に記載のコンピュータプログラム。
【請求項１３】
前記待機持続時間の満了時に前記技術検出プロセスを続けること
を行うためのコードをさらに備える、請求項１１に記載のコンピュータプログラム。
【請求項１４】
前記ＮＦＣ技術の変調特性に一致する様式で前記ＲＦ電界が変調されないとの判断時に、および前記待機持続時間の満了時に前記技術検出プロセスを続けること
を行うためのコードをさらに備える、請求項１１に記載のコンピュータプログラム。
【請求項１５】
前記ＲＦ電界がタグトークファースト（ＴＴＦ）デバイスによって変調される、請求項１１に記載のコンピュータプログラム。
【請求項１６】
前記ＮＦＣ対応デバイスが、前記ＴＴＦデバイスを検出するように構成され、ここにおいて、前記待機持続時間がＴＴＦデバイス定義持続時間である、請求項１５に記載のコンピュータプログラム。
【請求項１７】
前記待機持続時間が、前記技術検出プロセスの一部として定義されるガードタイムである、請求項１１に記載のコンピュータプログラム。
【請求項１８】
前記待機持続時間が、前記技術検出プロセスの一部として定義されるガードタイム、またはＴＴＦデバイス定義持続時間のいずれよりも長い持続時間として選択される、請求項１１に記載のコンピュータプログラム。
【請求項１９】
前記ＲＦ電界は、前記ＮＦＣ技術の前記変調特性に関連する負荷がしきい値を上回るときに変調されると判断される、請求項１１に記載のコンピュータプログラム。
【請求項２０】
データを受信することと、ここにおいて、前記データの少なくとも一部分が前記待機持続時間の満了より前に受信される、
前記データを処理することと、
前記データを上位レイヤに通知することと
を行うためのコードをさらに備える、請求項１１に記載のコンピュータプログラム。
【請求項２１】
ニアフィールド通信（ＮＦＣ）対応デバイスにおいて、技術検出プロセスの一部として前記ＮＦＣ対応デバイスによって変調されない無線周波数（ＲＦ）電界を生成するための手段と、
待機持続時間の少なくとも一部分の間前記ＲＦ電界を監視するための手段と、
前記待機持続時間中に、ＮＦＣ技術の変調特性に一致する様式で前記ＲＦ電界が変調されるかどうかを判断するための手段と、
前記ＮＦＣ技術の変調特性に一致する様式で前記ＲＦ電界が変調されるとの前記判断時に前記技術検出プロセスを終了するための手段と
を備える、通信のための装置。
【請求項２２】
前記ＮＦＣ技術が、ＮＦＣタイプ−Ａ、ＮＦＣタイプ−Ｂ、またはＮＦＣタイプ−Ｆのうちの少なくとも１つに基づく、請求項２１に記載の装置。
【請求項２３】
前記待機持続時間の満了時に前記技術検出プロセスを続けるための手段
をさらに備える、請求項２１に記載の装置。
【請求項２４】
前記ＮＦＣ技術の変調特性に一致する様式で前記ＲＦ電界が変調されないとの判断時に、および前記待機持続時間の満了時に前記技術検出プロセスを続けるための手段
をさらに備える、請求項２１に記載の装置。
【請求項２５】
前記ＲＦ電界がタグトークファースト（ＴＴＦ）デバイスによって変調される、請求項２１に記載の装置。
【請求項２６】
前記ＮＦＣ対応デバイスが、前記ＴＴＦデバイスを検出するように構成され、ここにおいて、前記待機持続時間がＴＴＦデバイス定義持続時間である、請求項２５に記載の装置。
【請求項２７】
前記待機持続時間が、前記技術検出プロセスの一部として定義されるガードタイムである、請求項２１に記載の装置。
【請求項２８】
前記待機持続時間が、前記技術検出プロセスの一部として定義されるガードタイム、またはＴＴＦデバイス定義持続時間のいずれよりも長い持続時間として選択される、請求項２１に記載の装置。
【請求項２９】
前記ＲＦ電界は、前記ＮＦＣ技術の前記変調特性に関連する負荷がしきい値を上回るときに変調されると判断される、請求項２１に記載の装置。
【請求項３０】
判断するための前記手段は、
データを受信することと、ここにおいて、前記データの少なくとも一部分が前記待機持続時間の満了より前に受信される、
前記データを処理することと、
前記データを上位レイヤに通知することと
を行うようにさらに構成された、請求項２１に記載の装置。
【請求項３１】
ニアフィールド通信（ＮＦＣ）通信のための装置であって、
トランシーバと、
メモリと、
前記メモリに結合されたプロセッサと、
前記メモリまたは前記プロセッサのうちの少なくとも１つに結合され、
技術検出プロセスの一部としてＮＦＣ対応デバイスによって変調されない無線周波数（ＲＦ）電界を生成することと、
待機持続時間の少なくとも一部分の間前記ＲＦ電界を監視することと、
前記待機持続時間中に、ＮＦＣ技術の変調特性に一致する様式で前記ＲＦ電界が変調されるかどうかを判断することと、
前記ＮＦＣ技術の変調特性に一致する様式で前記ＲＦ電界が変調されるとの前記判断時に前記技術検出プロセスを終了することと
を行うように構成されたＮＦＣ技術検出モジュールと
を備える、装置。
【請求項３２】
前記ＮＦＣ技術が、ＮＦＣタイプ−Ａ、ＮＦＣタイプ−Ｂ、またはＮＦＣタイプ−Ｆのうちの少なくとも１つに基づく、請求項３１に記載の装置。
【請求項３３】
前記ＮＦＣ技術検出モジュールが、
前記待機持続時間の満了時に前記技術検出プロセスを続けること
を行うようにさらに構成された、請求項３１に記載の装置。
【請求項３４】
前記ＮＦＣ技術検出モジュールは、
前記ＮＦＣ技術の変調特性に一致する様式で前記ＲＦ電界が変調されないとの判断時に、および前記待機持続時間の満了時に前記技術検出プロセスを続けること
を行うようにさらに構成された、請求項３１に記載の装置。
【請求項３５】
前記ＲＦ電界がタグトークファースト（ＴＴＦ）デバイスによって変調される、請求項３１に記載の装置。
【請求項３６】
前記ＮＦＣ対応デバイスが、前記ＴＴＦデバイスを検出するように構成され、ここにおいて、前記待機持続時間がＴＴＦデバイス定義持続時間である、請求項３５に記載の装置。
【請求項３７】
前記待機持続時間が、前記技術検出プロセスの一部として定義されるガードタイムである、請求項３１に記載の装置。
【請求項３８】
前記待機持続時間が、前記技術検出プロセスの一部として定義されるガードタイム、またはＴＴＦデバイス定義持続時間のいずれよりも長い持続時間として選択される、請求項３１に記載の装置。
【請求項３９】
前記ＲＦ電界は、前記ＮＦＣ技術の前記変調特性に関連する負荷がしきい値を上回るときに変調されると判断される、請求項３１に記載の装置。
【請求項４０】
前記ＮＦＣ技術検出モジュールは、
データを受信することと、ここにおいて、前記データの少なくとも一部分が前記待機持続時間の満了より前に受信される、
前記データを処理することと、
前記データを上位レイヤに通知することと
を行うようにさらに構成された、請求項３１に記載の装置。
【発明の詳細な説明】
【技術分野】
【０００１】
米国特許法第１１９条に基づく優先権の主張
[0001]  本特許出願は、本出願の譲受人に譲渡され、参照により本明細書に明確に組み込まれる、２０１２年１０月２９日に出願された「METHODS AND APPARATUS FOR DISCOVERING TAG TALKS FIRST DEVICES」と題する仮出願第６１／７１９，７２５号の優先権を主張する。
【背景技術】
【０００２】
[0002]  開示する態様は、一般にデバイス間のおよび／またはデバイス内の通信に関し、詳細には、タグトークファースト（ＴＴＦ：Tag Talks First）デバイスを発見するニアフィールド通信（ＮＦＣ：near field communication）デバイスの能力を拡張するための方法およびシステムに関する。
【０００３】
[0003]  技術の進歩により、パーソナルコンピューティングデバイスは、より小型でより強力になった。たとえば、現在、それぞれ小型で、軽量で、ユーザが容易に持ち運べる、ポータブルワイヤレス電話、携帯情報端末（ＰＤＡ）およびページングデバイスなど、ワイヤレスコンピューティングデバイスを含む、様々なポータブルパーソナルコンピューティングデバイスが存在する。より具体的には、ポータブルワイヤレス電話は、たとえば、ワイヤレスネットワークを介して音声およびデータパケットを通信するセルラー電話をさらに含む。多くのそのようなセルラー電話は、計算能力の比較的大きい向上を伴いながら製造されており、したがって、小型パーソナルコンピュータおよびハンドヘルドＰＤＡと同等になりつつある。さらに、そのようなデバイスは、セルラー通信、ワイヤレスローカルエリアネットワーク（ＷＬＡＮ）通信、ＮＦＣなど、様々な周波数および適用可能なカバレージエリアを使用する通信を可能にするために製造されている。
【０００４】
[0004]  現在、ＮＦＣフォーラム仕様は、ポーリングＮＦＣ対応デバイスと通信する前にコマンドを待つリモートＮＦＣデバイス（たとえば、タグ）と通信するための機構のみを定義している。さらに、「タグトークファースト」（ＴＴＦ）デバイスと呼ばれるＮＦＣ対応デバイスのクラスがある。ＴＴＦデバイスは、好適な無線周波数（ＲＦ）電界にさらされると、ＲＦ電界を生じたデバイスからのコマンドを待つことなしにデータを送信することを開始する。したがって、ポーリングＮＦＣ対応デバイスが、現在のＮＦＣフォーラム仕様を使用するように構成された場合、オペレーティングボリューム（operating volume）中のＴＴＦデバイスの存在は、干渉として認識されるか、またはまったく認識されないかのいずれかであろう。
【０００５】
[0005]  したがって、ＮＦＣ対応デバイスがＴＴＦデバイスを発見し、および／またはそれと通信することを可能にするための改善された装置および方法が望まれる。
【発明の概要】
【０００６】
[0006]  以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。１つまたは複数の態様およびそれの対応する開示に従って、ＮＦＣ対応デバイスがＴＴＦデバイスを発見し、および／またはそれと通信することを可能にすることに関して様々な態様について説明する。一例では、ＮＦＣ対応デバイスは、技術検出プロセスの一部としてＮＦＣ対応デバイスによって変調されないＲＦ電界を起こすことと、待機持続時間の少なくとも一部分の間ＲＦ電界を監視することと、待機持続時間中に、ＮＦＣ技術の変調特性に一致する様式でＲＦ電界が変調されるかどうかを判断することと、ＮＦＣ技術の変調特性に一致する様式ＲＦ電界が変調されるという判断時に技術検出プロセスを終了することとを行うように装備される。
【０００７】
[0007]  関係する態様によれば、ＮＦＣ対応デバイスがＴＴＦデバイスを発見し、および／またはそれと通信することを可能にするための方法が提供される。本方法は、ＮＦＣ対応デバイスにおいて、技術検出プロセスの一部としてＮＦＣ対応デバイスによって変調されないＲＦ電界を起こすことを含むことができる。さらに、本方法は、待機持続時間の少なくとも一部分の間ＲＦ電界を監視することを含むことができる。さらに、本方法は、待機持続時間中に、ＮＦＣ技術の変調特性に一致する様式でＲＦ電界が変調されるかどうかを判断することを含むことができる。その上、本方法は、ＮＦＣ技術の変調特性に一致する様式ＲＦ電界が変調されるという判断時に技術検出プロセスを終了することを含み得る。
【０００８】
[0008]  別の態様は、ＴＴＦデバイスを発見し、および／またはそれと通信することが可能な通信装置に関する。本通信装置は、ＮＦＣ対応デバイスにおいて、技術検出プロセスの一部としてＮＦＣ対応デバイスによって変調されないＲＦ電界を起こすための手段を含むことができる。さらに、本通信装置は、待機持続時間の少なくとも一部分の間ＲＦ電界を監視するための手段を含むことができる。さらに、本通信装置は、待機持続時間中に、ＮＦＣ技術の変調特性に一致する様式でＲＦ電界が変調されるかどうかを判断するための手段を含むことができる。その上、本通信装置は、ＮＦＣ技術の変調特性に一致する様式ＲＦ電界が変調されるという判断時に技術検出プロセスを終了するための手段を含むことができる。
【０００９】
[0009]  別の態様は通信装置に関する。本装置は、データを受信するように構成されたトランシーバと、メモリと、メモリまたはプロセッサのうちの少なくとも１つに結合され、技術検出プロセスの一部としてＮＦＣ対応デバイスによって変調されない無線周波数（ＲＦ）電界を起こすことと、待機持続時間の少なくとも一部分の間ＲＦ電界を監視することと、待機持続時間中に、ＮＦＣ技術の変調特性に一致する様式でＲＦ電界が変調されるかどうかを判断することと、ＮＦＣ技術の変調特性に一致する様式ＲＦ電界が変調されるという判断時に技術検出プロセスを終了することとを行うように構成されたＮＦＣ技術検出モジュールとを含むことができる。
【００１０】
[0010]  さらに別の態様は、ＮＦＣ対応デバイスにおいて、技術検出プロセスの一部としてＮＦＣ対応デバイスによって変調されないＲＦ電界を起こすためのコードを含むコンピュータ可読媒体を有することができる、コンピュータプログラム製品に関する。さらに、コンピュータ可読媒体は、待機持続時間の少なくとも一部分の間ＲＦ電界を監視するためのコードを含み得る。さらに、コンピュータ可読媒体は、待機持続時間中に、ＮＦＣ技術の変調特性に一致する様式でＲＦ電界が変調されるかどうかを判断するためのコードを含み得る。その上、コンピュータ可読媒体は、ＮＦＣ技術の変調特性に一致する様式ＲＦ電界が変調されるという判断時に技術検出プロセスを終了するためのコードを含むことができる。
【００１１】
[0011]  上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１２】
[0012]  添付の図面とともに以下に説明する開示する態様は、開示する態様を限定するためではなく、開示する態様を例示するために与えられ、同様の表示は同様の要素を示す。
【図面の簡単な説明】
【００１３】
【図１】[0013]  一態様による、ワイヤレス通信システムのブロック図。
【図２】[0014]  一態様による、ワイヤレス通信システムの概略図。
【図３】[0015]  一態様による、ＮＦＣ環境のブロック図。
【図４】[0016]  一態様による、ＴＴＦデバイスを発見するための一例を記述するフローチャート。
【図５】[0017]  一態様による、技術検出プロセスを実行するための一例を記述するフローチャート。
【図６】[0018]  一態様による、通信デバイスの例示的なアーキテクチャブロック図。
【図７】[0019]  例示的な装置中の異なるモジュール／手段／構成要素間のデータフローを示す概念データフロー図。
【図８】[0020]  処理システムを採用する装置のためのハードウェア実装形態の一例を示す図。
【発明を実施するための形態】
【００１４】
[0021]  次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１５】
[0022]  概して、ＮＦＣフォーラムアクティビティ仕様において定義されているように、技術検出（ＴＤ）中に、ＮＦＣ対応デバイスは、リモートＮＦＣデバイスからの応答のためにポーリングし、および／またはそれに反応し得る。各初期ポールコマンドより前に、ＮＦＣ対応デバイスは、指定された最小ガードタイムの間、好適なＲＦ電界を維持し得る。この電界にさらされた従来のタグは、応答するより前にポーリングＮＦＣ対応デバイスからのコマンドを待ち得る。対照的に、ＴＴＦデバイスは、送信を開始するより前にＮＦＣ対応デバイスからのコマンドを待たないことがある。本明細書でさらに詳細に説明するように、ポーリングＮＦＣ対応デバイスはまた、ガードタイム中に着信フレームをリッスンし、それにより、ポーリングＮＦＣ対応デバイスがＴＴＦデバイスを検出することが可能になり得る。一態様では、ＮＦＣ対応デバイスは、１つまたは複数のパラメータの設定を通してガードタイム中にリッスンすることを可能にされ得る。別の態様では、当該の（１つまたは複数の）ＴＴＦデバイスの特性に少なくとも部分的に応じて、ガードタイムは、ポーリングＮＦＣ対応デバイスがＴＴＦデバイスからの初期送信を検出することを可能にするために延長され得る。動作可能な態様では、待機持続時間（たとえば、ガードタイム）中に、フレームの少なくとも一部分がポーリングＮＦＣ対応デバイスによって受信された場合、ポーリングＮＦＣ対応デバイスは、ＴＤプロセスを停止することを選択し、フレームが受信されたことを隣接する上位レイヤに通知し得る。そのような態様では、隣接する上位レイヤは、処理するためにフレームをアプリケーション（たとえば、登録された受話者）に渡し得る。その後、ＮＦＣ対応デバイスは、ＴＤプロセスを再構成または終了することを決定し得る。別の動作可能な態様では、待機持続時間の終了によってフレームが受信されない場合、ポーリングＮＦＣ対応デバイスは、現在のＮＦＣフォーラムアクティビティ仕様において定義されている従来のリモートＮＦＣデバイスのためのポーリングを続け得る。
【００１６】
[0023]  図１に、本発明の様々な例示的な実施形態による、ワイヤレス通信システム１００を示す。入力電力１０２は、エネルギー伝達を行うための放射界１０６を生成するために送信機１０４に与えられる。受信機１０８は、放射界１０６に結合し、出力電力１１０に結合されたデバイス（図示せず）による記憶または消費のための出力電力１１０を生成する。送信機１０４と受信機１０８の両方は距離１１２だけ分離される。例示的な一実施形態では、送信機１０４および受信機１０８は相互共振関係に従って構成され、受信機１０８の共振周波数と送信機１０４の共振周波数が極めて近い場合、受信機１０８が放射界１０６の「ニアフィールド」に位置するとき、送信機１０４と受信機１０８との間の伝送損失は最小になる。
【００１７】
[0024]  送信機１０４は、エネルギー伝送のための手段を与えるための送信アンテナ１１４をさらに含み、受信機１０８は、エネルギー受信のための手段を与えるための受信アンテナ１１８をさらに含む。送信アンテナおよび受信アンテナは、それに関連するアプリケーションおよびデバイスに従ってサイズ決定される。上述のように、エネルギーの大部分を電磁波でファーフィールド（far field）に伝搬するのではなく、送信アンテナのニアフィールドにおけるエネルギーの大部分を受信アンテナに結合することによって効率的なエネルギー伝達が行われる。このニアフィールドにある場合、送信アンテナ１１４と受信アンテナ１１８との間に結合モードが生じ得る。このニアフィールド結合が行われ得るアンテナ１１４および１１８の周りのエリアを、本明細書では結合モード領域と呼ぶ。
【００１８】
[0025]  図２に、ニアフィールドワイヤレス通信システムの簡略概略図を示す。送信機２０４は、発振器２２２と、電力増幅器２２４と、フィルタおよび整合回路２２６とを含む。発振器は、調整信号２２３に応答して調整され得る、所望の周波数で信号を生成するように構成され得る。発振器信号は、制御信号２２５に応答する増幅量で電力増幅器２２４によって増幅され得る。フィルタおよび整合回路２２６は、高調波または他の不要な周波数をフィルタ除去し、送信機２０４のインピーダンスを送信アンテナ２１４に整合させるために含まれ得る。
【００１９】
[0026]  受信機２０８は、図２に示されているようにバッテリー２３６を充電するか、または受信機（図示せず）に結合されたデバイスに電力供給するためにＤＣ電力出力を生成するために、整合回路２３２と、整流器およびスイッチング回路２３４とを含み得る。整合回路２３２は、受信機２０８のインピーダンスを受信アンテナ２１８に整合させるために含まれ得る。受信機２０８および送信機２０４は、別個の通信チャネル２１９（たとえば、Ｂｌｕｅｔｏｏｔｈ（登録商標）、Ｚｉｇｂｅｅ（登録商標）、セルラーなど）上で通信し得る。
【００２０】
[0027]  図３を参照すると、一態様による通信ネットワーク３００のブロック図が示されている。通信ネットワーク３００は、アンテナ３２４を介して、オペレーティングボリューム３２８内にあるリモートＮＦＣデバイス３３０と通信し得る、通信デバイス３１０を含み得る。通信デバイス３１０は、１つまたは複数のＮＦＣ  ＲＦ技術３２６（たとえば、ＮＦＣ−Ａ、ＮＦＣ−Ｂ、ＮＦＣ−Ｆなど）を使用し得る。一態様では、通信デバイス３１０は、リモートＮＦＣデバイス３３０の存在を検出し、それを識別することを試みるために、ＮＦＣ技術検出モジュール３５０を使用して、オペレーティングボリューム３２８をポーリングし得る。一態様では、リモートＮＦＣデバイス（たとえば、タグ、カード、ピアターゲットなど）は、ＲＦ電界の存在に応答して通信するように構成され得る。たとえば、リモートＮＦＣデバイス３３０はＴＴＦデバイスであり得る。一態様では、リモートＮＦＣデバイス３３０は、限定はしないが、タグ、リーダー／ライターデバイス、ピアイニシエータデバイス、リモートピアターゲットデバイスなどであり得る。
【００２１】
[0028]  通信デバイス３１０はＮＣＩ３２０を含み得る。一態様では、ＮＣＩ３２０は、デバイスホスト（ＤＨ）３４０とＮＦＣコントローラ３１２との間の通信を可能にするように構成可能であり得る。
【００２２】
[0029]  通信デバイス３１０はＮＦＣコントローラ（ＮＦＣＣ）３１２を含み得る。一態様では、ＮＦＣＣ３１２はＲＦ発見モジュール３１４を含み得る。ＲＦ発見モジュール３１４は、発見プロセスを使用してＲＦ発見を実行するように構成可能であり得る。発見プロセスの一態様は、リモートＮＦＣデバイスの存在のためのポーリングを含み得る。ＤＨ３４０は、ＲＦ発見に関連する様々な機能を実行するようにＮＦＣＣ３１２に促すためのコマンドを生成するように構成可能であり得る。
【００２３】
[0030]  通信デバイス３１０はＮＦＣ技術検出モジュール３５０を含み得る。ＮＦＣ技術検出モジュール３５０は、オペレーティングボリューム３２８内のリモートＮＦＣデバイス３３０の存在を検出し、および／またはそれからデータを受信するように構成可能であり得る。ＮＦＣ技術検出モジュール３５０は、ＲＦ電界生成モジュール３５２とＲＦ電界監視モジュール３５４とを含み得る。一態様では、ＲＦ電界生成モジュール３５２は、待機持続時間の間、オペレーティングボリューム３２８中で非変調ＲＦ電界を生成するように構成され得る。一態様では、待機持続時間は、ＮＦＣフォーラム仕様において定義されているガードタイムとして定義され得る。別の態様では、ＲＦ電界生成モジュール３５２は、ＴＴＦデバイスによって定義される待機持続時間の間非変調ＲＦ電界を生成し得る。さらに別の態様では、待機持続時間は、ＮＦＣフォーラム定義ガードタイムとＴＴＦデバイス定義持続時間とのうちのより長い持続時間となるように選択され得る。生成されたＲＦ電界に応答して、リモートＮＦＣデバイス３３０はＴＴＦデータ３３８を送り得る。本明細書で使用するＴＴＦデータは、ＴＴＦデバイスから利用可能な任意のコンテンツを指し得、ここで、そのようなコンテンツは、送信すべきコマンドを待つのではなく、ＲＦ電界の存在に応答して送信され得る。別の態様では、ＲＦ電界監視モジュール３５４は、ＮＦＣ技術の変調特性に一致し得る負荷変調について、生成されたＲＦ電界を監視するように構成され得る。一態様では、ＮＦＣ技術は、ＮＦＣタイプ−Ａ  ＲＦ技術、ＮＦＣタイプ−Ｂ  ＲＦ技術、ＮＦＣタイプ−Ｆ  ＲＦ技術であり得る。一態様では、ＲＦ電界監視モジュール３５４が監視するＮＦＣ技術タイプは、通信デバイス３１０が技術検出プロセスにおける後続の通信中にどのＮＦＣ技術タイプを使用することを意図するかに基づき得る。別の態様では、ＲＦ電界監視モジュール３５４は、複数のＮＦＣ技術タイプを示すＲＦ電界変調を監視するように構成され得る。別の態様では、ＲＦ電界監視モジュール３５４は、負荷変調がしきい値レベルを上回って増加すると、ＲＦ電界が変調されていると判断し得る。動作可能な態様では、ＮＦＣ技術の変調特性に一致するＲＦ電界変調があるとＲＦ電界監視モジュール３５４が判断したとき、ＮＦＣ技術検出モジュール３５０は技術検出プロセスを終了し得る。さらに、ＮＦＣ技術検出モジュール３５０は、ＴＴＦデータ３３８を受信し、ＴＴＦデータ３３８を当該の１つまたは複数のアプリケーションに通信し得る。一態様では、ＮＦＣ技術検出モジュール３５０は、ＴＴＦデータ３３８（たとえば、フレーム）が受信されたことを隣接する上位レイヤに通知することによって、受信されたＴＴＦデータ３３８を通信し得る。別の動作可能な態様では、ＲＦ電界監視モジュール３５４が待機持続時間中にＲＦ電界変調を検出しない場合、ＮＦＣ技術検出モジュール３５０は技術検出プロセスを続け得る。図３は、ＮＦＣ技術検出モジュール３５０が別個のモジュールであることを示しているが、ＮＦＣ技術検出モジュール３５０に関連する機能は、限定はしないが、ＮＦＣＣ３１２、ＤＨ３４０など、１つまたは複数の構成要素内に含まれ得るこ���を、当業者は諒解されよう。
【００２４】
[0031]  通信デバイス３１０は、受信されたデータを記憶し、および／または受信されたデータを通信デバイス３１０に関連する１つまたは複数のアプリケーションにとって利用可能にするように構成可能であり得る、メモリ３６０を含むさらに含み得る。
【００２５】
[0032]  したがって、ＴＴＦデバイスの発見および／またはそれとの通信のためのにシステムおよび方法が開示される。
【００２６】
[0033]  図４〜図５に、提示する主題の様々な態様による様々な方法を示す。説明を簡単にするために、方法を一連の行為またはシーケンスステップとして図示および説明するが、いくつかの行為は本明細書で図示および説明する行為とは異なる順序で、および／または他の行為と同時に行われ得るので、請求する主題は行為の順序によって限定されないことを理解し、諒解されたい。たとえば、方法は、状態図など、一連の相互に関係する状態またはイベントとして代替的に表現され得ることを、当業者は理解し、諒解するであろう。さらに、請求する主題による方法を実施するために、図示のすべての行為が必要とされるとは限らない。さらに、以下および本明細書の全体にわたって開示する方法は、そのような方法をコンピュータに移送および転送することを可能にする製造品に記憶されることが可能であることをさらに諒解されたい。本明細書で使用する製造品という用語は、任意のコンピュータ可読デバイス、キャリア、または媒体からアクセス可能なコンピュータプログラムを包含するものとする。
【００２７】
[0034]  図４は、ＮＦＣ対応デバイスがＴＴＦデバイスを発見し、および／またはそれと通信することを可能にするためのプロセス４００を記述する例示的なフローチャートを示す。
【００２８】
[0035]  ブロック４０２において、ＮＦＣ対応デバイスは、技術検出プロセスの一部としてＮＦＣ対応デバイスによって変調されないＲＦ電界を起こす。
【００２９】
[0036]  ブロック４０４において、ＮＦＣ対応デバイスは、待機持続時間の少なくとも一部分の間ＲＦ電界を監視する。一態様では、待機持続時間は、技術検出プロセスの一部として定義されるガードタイムであり得る。ＮＦＣ対応デバイスがＴＴＦデバイスを検出するように構成された一態様では、待機持続時間はＴＴＦデバイス定義持続時間であり得る。別の態様では、待機持続時間は、技術検出プロセスの一部として定義されるガードタイム、またはＴＴＦデバイス定義持続時間のうちのより長い持続時間として選択され得る。
【００３０】
[0037]  ブロック４０６において、ＮＦＣ対応デバイスは、待機持続時間が満了したかどうかを判断する。ブロック４０６において、待機持続時間が満了したとＮＦＣ対応デバイスが判断した場合、ブロック４０８において、技術検出プロセスは続く。そのような態様では、上記判断は、待機持続時間中にデータフレームの少なくとも一部分を受信すること、ならびに随意のブロック４１４において、受信されたデータフレームを処理すること、および／または受信されたデータを上位レイヤに通知することをさらに含み得る。
【００３１】
[0038]  対照的に、ブロック４０６において、待機持続時間が満了しなかったとＮＦＣ対応デバイスが判断した場合、ブロック４１０において、ＮＦＣ対応デバイスは、ＮＦＣ技術を示す負荷変調が検出されたかどうかを判断する。一態様では、ＲＦ電界は、しきい値を上回る負荷変調が検出されたときに変調されると判断され得る。別の態様では、ＲＦ電界は、ＮＦＣ対応デバイスオペレーティングボリューム中のＴＴＦデバイスの存在により変調され得る。
【００３２】
[0039]  ブロック４１０において、関連する負荷変調が検出されなかったとＮＦＣ対応デバイスが判断した場合、プロセス４００はブロック４０６に戻り得る。
【００３３】
[0040]  対照的に、ブロック４１０において、ＮＦＣ技術を示す負荷変調が検出されたとＮＦＣ対応デバイスが判断した場合、ブロック４１２において、技術検出プロセスを終了する。
【００３４】
[0041]  図５は、一態様による、技術検出を実行するための別のプロセス５００を記述する例示的なフローチャートを示す。
【００３５】
[0042]  ブロック５０２において、ＮＦＣ対応デバイスは技術検出フラグを０に初期化する。そのような態様では、技術検出フラグは、ＦＯＵＮＤ＿Ａ、ＦＯＵＮＤ＿Ｂ、ＦＯＵＮＤ＿Ｆであり得る。
【００３６】
[0043]  ブロック５０４において、ＮＦＣ対応デバイスは、それがＮＦＣ−Ａ技術のためにポーリングするように構成されるかどうか（たとえば、ＣＯＮ＿ＰＯＬＬ＿Ａ＝１）を判断する。ブロック５０４において、ＮＦＣ対応デバイスが、ＮＦＣ  Ａのためにポーリングするように構成されないと判断された場合、ブロック５０６において、技術検出プロセスは、ＮＦＣ対応デバイスがポーリングするように構成されたＮＦＣ技術タイプのために続く。
【００３７】
[0044]  対照的に、ブロック５０４において、ＮＦＣ対応デバイスが、それがＮＦＣ−Ａのためにポーリングするように構成されると判断した場合、ブロック５０８において、ＮＦＣ対応デバイスは、少なくとも持続時間（たとえば、ガードタイム（ＧＴ））の間ＲＦ電界を維持する。一態様では、待機持続時間はＮＦＣ技術タイプの特定の時間（たとえば、ＧＴA）である。別の態様では、待機持続時間は、ＴＴＦデバイスによって定義される持続時間であるように構成され得る。さらに別の態様では、待機持続時間は、ＧＴAとＴＴＦデバイス定義持続時間とのうちのより長い時間であり得る。
【００３８】
[0045]  ブロック５１０において、ＮＦＣ対応デバイスは、待機持続時間の間ＲＦ電界を監視する。
【００３９】
[0046]  ブロック５１２において、ＮＦＣ対応デバイスは、リモートＮＦＣデバイス（たとえば、ＴＴＦデバイス）の存在を示す負荷変調がガードタイム内に検出されたかどうかを判断する。一態様では、負荷変調は、関連すると見なされるより前にしきい値を上回り得る。
【００４０】
[0047]  ブロック５１２において、リモートＮＦＣデバイスの存在を示す負荷変調が待機持続時間内に検出されたとＮＦＣ対応デバイスが判断した場合、ブロック５１４において、ＮＦＣ対応デバイスは技術検出プロセスを終了する。
【００４１】
[0048]  対照的に、ブロック５１２において、関連する負荷変調が待機持続時間中にＲＦ電界において検出されなかったとＮＦＣ対応デバイスが判断した場合、ブロック５１６において、ＮＦＣ対応デバイスは、ＡＬＬ＿ＲＥＱコマンドまたはＳＥＮＳ＿ＲＥＱコマンドを送り、応答を待つ。
【００４２】
[0049]  図３を参照しながら、ただし次に図６をも参照すると、通信デバイス６００の例示的なアーキテクチャが示されている。図６に示されているように、通信デバイス６００は、たとえば、受信アンテナ（図示せず）から信号を受信し、受信信号に対して典型的なアクション（たとえば、フィルタ処理、増幅、ダウンコンバートなど）を実行し、サンプルを得るために調整された信号をデジタル化する、受信機６０２を備える。受信機６０２は、受信シンボルを復調し、チャネル推定のためにプロセッサ６０６に与えることができる、復調器６０４を備えることができる。プロセッサ６０６は、受信機６０２によって受信された情報を分析すること、および／または送信機６２０による送信のための情報を生成することに専用のプロセッサ、通信デバイス６００の１つまたは複数の構成要素を制御するプロセッサ、ならびに／あるいは受信機６０２によって受信された情報を分析することと、送信機６２０による送信のための情報を生成することと、通信デバイス６００の１つまたは複数の構成要素を制御することとを両方とも行うプロセッサであり得る。さらに、変調器６１８を介した送信機６２０による送信のための信号が準備され得、変調器６１８は、プロセッサ６０６によって処理された信号を変調し得る。
【００４３】
[0050]  通信デバイス６００は、メモリ６０８をさらに備えることができ、メモリ６０８は、限定はしないが、プロセッサ６０６など、様々な構成要素に動作可能に結合され、送信されるべきデータ、受信されたデータ、利用可能なチャネルに関係する情報、ＴＣＰフロー、分析された信号および／または干渉強度に関連するデータ、割り当てられたチャネル、電力、レートなどに関係する情報、ならびにＮＦＣベースの通信を支援するための他の好適な情報を記憶することができる。
【００４４】
[0051]  さらに、プロセッサ６０６、デバイスホスト６３４、ＮＦＣＣ６３０、および／またはＮＦＣ技術検出モジュール６６０は、技術検出プロセスの一部としてＮＦＣ対応デバイスによって変調されないＲＦ電界を起こすための手段と、待機持続時間の少なくとも一部分の間ＲＦ電界を監視するための手段と、待機持続時間中に、ＮＦＣ技術の変調特性に一致する様式でＲＦ電界が変調されるかどうかを判断するための手段と、ＮＦＣ技術の変調特性に一致する様式ＲＦ電界が変調されるという判断時に技術検出プロセスを終了するための手段とを与えることができる。
【００４５】
[0052]  本明細書で説明するデータストア（たとえば、メモリ６０８）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態において利用可能である。主題のシステムおよび方法のメモリ６０８は、これらおよび他の適切なタイプのメモリを、それらに限定されることなく、備え得る。
【００４６】
[0053]  通信デバイス６００は、ＮＦＣコントローラ６３０とデバイスホスト６３４とを含み得る。一態様では、ＮＦＣＣ６３０はＲＦ発見モジュール６３２を含み得る。ＲＦ発見モジュール６３２は、発見プロセスを実行するように構成可能であり得る。発見プロセスの一態様は、１つまたは複数のリモートＮＦＣデバイスの存在のためのポーリングを含み得る。ＤＨ６３４は、ＲＦ発見に関連する様々な機能を実行するようにＮＦＣＣ６３０に促すためのコマンドを生成するように構成可能であり得る。
【００４７】
[0054]  別の態様では、通信デバイス６００はＮＣＩ６５０を含み得る。一態様では、ＮＣＩ６５０は、ＮＦＣコントローラ６３０とＤＨ６３４との間の通信を可能にするように構成可能であり得る。ＮＣＩ６５０は、リスニングモードおよび／またはポーリングモードで機能するように構成可能であり得る。
【００４８】
[0055]  別の態様では、通信デバイス６００はＮＦＣ技術検出モジュール６６０を含み得る。ＮＦＣ技術検出モジュール６６０は、オペレーティングボリューム内のリモートＮＦＣデバイスの存在を検出し、および／またはそれからデータを受信するように構成可能であり得る。ＮＦＣ技術検出モジュール６６０は、非変調ＲＦ電界生成モジュール６６２とＲＦ電界監視モジュール６６４とを含み得る。一態様では、非変調ＲＦ電界生成モジュール６６２は、待機持続時間の間、オペレーティングボリューム中で非変調ＲＦ電界を生成するように構成され得る。一態様では、待機持続時間は、ＮＦＣフォーラム仕様において定義されているガードタイムとして定義され得る。別の態様では、非変調ＲＦ電界生成モジュール６６２は、ＴＴＦデバイスによって定義される待機持続時間の間非変調ＲＦ電界を生成し得る。さらに別の態様では、待機持続時間は、ＮＦＣフォーラム定義ガードタイムとＴＴＦデバイス定義持続時間とのうちのより長い持続時間となるように選択され得る。生成されたＲＦ電界に応答して、リモートＮＦＣデバイスはＴＴＦデータを送り得る。別の態様では、ＲＦ電界監視モジュール６６４は、ＮＦＣ技術の変調特性に一致し得る負荷変調について、生成されたＲＦ電界を監視するように構成され得る。一態様では、ＮＦＣ技術は、ＮＦＣタイプ−Ａ  ＲＦ技術、ＮＦＣタイプ−Ｂ  ＲＦ技術、ＮＦＣタイプ−Ｆ  ＲＦ技術などであり得る。一態様では、ＲＦ電界監視モジュール６６４が監視するＮＦＣ技術タイプは、通信デバイス６００が技術検出プロセスにおける後続の通信中にどのＮＦＣ技術タイプを使用することを意図するかに基づき得る。別の態様では、ＲＦ電界監視モジュール６６４は、複数のＮＦＣ技術タイプを示すＲＦ電界変調を監視するように構成され得る。別の態様では、ＲＦ電界監視モジュール６６４は、負荷変調がしきい値レベルを上回って増加すると、ＲＦ電界が変調されていると判断し得る。動作可能な態様では、ＮＦＣ技術の変調特性に一致するＲＦ電界変調があるとＲＦ電界監視モジュール６６４が判断したとき、技術検出モジュール６６０は技術検出プロセスを終了し得る。さらに、技術検出モジュール６６０は、データを受信し、データを当該の１つまたは複数のアプリケーションに通信し得る。一態様では、技術検出モジュール６６０は、データ（たとえば、フレーム）が受信されたことを隣接する上位レイヤに通知することによって、受信されたデータを通信し得る。別の動作可能な態様では、ＲＦ電界監視モジュール６６４が待機持続時間中にＲＦ電界変調を検出しない場合、技術検出モジュール６６０は技術検出プロセスを続け得る。
【００４９】
[0056]  図６は、ＮＦＣ技術検出モジュール６６０が別個のモジュールであることを検出するが、ＮＦＣ技術検出モジュール６６０に関連する機能が、限定はしないが、ＮＦＣＣ６３０、ＤＨ６３４など、１つまたは複数の構成要素内に含まれ得ることを、当業者は諒解されよう。別の態様では、図４〜図５に関して説明したように、ＴＴＦデバイスとの通信を可能にするように構成可能なＮＦＣ技術検出モジュール６６０。
【００５０】
[0057]  さらに、通信デバイス６００はユーザインターフェース６４０を含み得る。ユーザインターフェース６４０は、通信デバイス６００への入力を生成するための入力機構６４２と、通信デバイス６００のユーザによる消費のための情報を生成するための出力機構６４４とを含み得る。たとえば、入力機構６４２は、キーまたはキーボード、マウス、タッチスクリーンディスプレイ、マイクロフォンなどの機構を含み得る。さらに、たとえば、出力機構６４４は、ディスプレイ、オーディオスピーカー、触覚フィードバック機構、パーソナルエリアネットワーク（ＰＡＮ）トランシーバなどを含み得る。図示された態様では、出力機構６４４は、画像またはビデオフォーマットのメディアコンテンツを提示するように構成可能なディスプレイ、あるいはオーディオフォーマットであるメディアコンテンツを提示するオーディオスピーカーを含み得る。
【００５１】
[0058]  図７は、例示的な装置７０２の異なるモジュール／手段／構成要素間のデータフローを示す概念データフロー図７００である。本装置はワイヤレスデバイス（たとえば、通信デバイス６００など）であり得る。本装置は、受信モジュール７０６と送信モジュール７０８とをもつＮＦＣモジュール７０４と、ＮＦＣ技術検出モジュール７１０と、アプリケーション処理モジュール７１２とを含む。
【００５２】
[0059]  動作可能な態様では、装置７０２（たとえば、通信デバイス６００）は、ＮＦＣモジュール７０４と送信モジュール７０８とを介して、技術検出プロセスの一部としてＲＦ電界７２０を起こし得る。一態様では、ＮＦＣ対応デバイスは、待機持続時間の間ＲＦ電界７２０を変調しないことがある。ＲＦ電界７２０は、オペレーティングボリューム中のリモートＮＦＣデバイス３３０によって変調され得る。ＮＦＣモジュール７０４受信モジュール７０６は、待機持続時間の少なくとも一部分の間ＲＦ電界７２０を監視し得る。一態様では、ＲＦ電界は、ＮＦＣ技術の変調特性に関連する負荷がしきい値を上回るときに変調されると判断され得る。装置７０２がＴＴＦデバイスを検出するように構成された一態様ｎでは、待機持続時間はＴＴＦデバイス定義持続時間であり得る。別の態様では、待機持続時間は、技術検出プロセスの一部として定義されるガードタイムであり得る。さらに別の態様では、待機持続時間は、技術検出プロセスの一部として定義されるガードタイム、ＴＴＦデバイス定義持続時間などのいずれかのより長い持続時間として選択され得る。
【００５３】
[0060]  ＮＦＣモジュール７０４受信モジュール７０６は、ＲＦ電界において変調７２２を検出し、検出された変調７２２をＮＦＣ技術検出モジュール７１０に与え得る。ＮＦＣ技術検出モジュール７１０は、待機持続時間中に、（たとえば、リモートＮＦＣデバイス３３０から発信する）ＮＦＣ技術の変調特性に一致する様式で７２２においてＲＦ電界が変調されるかどうかを判断し得る。一態様では、ＲＦ電界はＴＴＦデバイスによって変調され得る。一態様では、ＮＦＣ技術は、ＮＦＣタイプ−Ａ、ＮＦＣタイプ−Ｂ、ＮＦＣタイプ−Ｆなどに基づき得る。７２２においてＲＦ電界がＴＴＦデバイスによって変調される一態様では、本装置は、受信モジュール７０６を介して、データ７２４を受信し、データ７２４を処理し、データ７２４を上位レイヤ（たとえば、アプリケーション７１３）に通知し得る。
【００５４】
[0061]  一態様では、ＮＦＣ技術検出モジュール７１０は、ＮＦＣ技術の変調特性に一致する様式で７２２においてＲＦ電界が変調されたと判断し得、技術検出プロセスを終了するようにＮＦＣモジュール７０４に促す終了メッセージ７２６をＮＦＣモジュール７０４に与え得る。一態様では、判断プロセスは、上位レイヤ（たとえば、アプリケーション処理モジュール７１２および／または１つまたは複数のアプリケーション７１３）において実行され得、終了メッセージ７２６は、上位レイヤ判断に応答してＮＦＣモジュール７０４に与えられ得る。
【００５５】
[0062]  追加または代替として、ＮＦＣ技術検出モジュール７１０は、ＮＦＣ技術の変調特性に一致する様式で７２２においてＲＦ電界が変調されないと判断し得、待機持続時間の満了時に技術検出プロセスを続け得る。別の態様では、ＮＦＣ技術検出モジュール７１０はＮＦＣ技術の変調特性に一致する方法でＲＦ電界が変調されないという判断時に、および待機持続時間の満了時に技術検出プロセスを続け得る。
【００５６】
[0063]  随意の動作可能な態様では、アプリケーション処理モジュール７１２に関連するアプリケーション７１３は、リモートＮＦＣデバイス３３０から受信されたデータ７２８を処理し得る。一態様では、ＮＦＣモジュール７０４は、受信モジュール７０６を介して、ＮＦＣ技術検出モジュール７１０によって判断されたＮＦＣ  ＲＦ技術（たとえば、ＮＦＣ−Ａ、ＮＦＣ−Ｂ、ＮＦＣ−Ｆ）を使用してリモートＮＦＣデバイス３３０からデータ７２８を受信し得る。別の態様では、ＮＦＣ技術検出モジュール７１０がリモートＮＦＣデバイス３３０によって使用されるＮＦＣ  ＲＦ技術を判断すると、アプリケーション７１３は、ＮＦＣモジュール７０４と送信モジュール７０８とを介して、リモートＮＦＣデバイス３３０に情報を送信し得る。
【００５７】
[0064]  本装置は、図４および図５の上述のコールフローおよび／またはフローチャート中のアルゴリズムのステップの各々を実行する追加のモジュールを含み得る。したがって、上述の図４および図５中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５８】
[0065]  図８は、処理システム８１４を採用する装置７０２’ためのハードウェア実装形態の一例を示す図８００である。処理システム８１４は、バス８２４によって概略的に表されるバスアーキテクチャを用いて実装され得る。バス８２４は、処理システム８１４の特定の適用例および全体的な設計制約に応じて、任意の数の相互接続バスおよびブリッジを含み得る。バス８２４は、プロセッサ８０４によって表される１つまたは複数のプロセッサおよび／またはハードウェアモジュールと、モジュール７０４、７０６、７０８、７１０、７１２と、コンピュータ可読媒体８０６とを含む様々な回路を互いにリンクする。バス８２４はまた、タイミングソース、周辺機器、電圧調整器、および電力管理回路など、様々な他の回路をリンクし得るが、これらの回路は当技術分野においてよく知られており、したがって、これ以上説明しない。
【００５９】
[0066]  処理システム８１４はトランシーバ８１０に結合され得る。トランシーバ８１０は１つまたは複数のアンテナ８２０に結合される。トランシーバ８１０は、伝送媒体を介して様々な他の装置と通信するための手段を与える。処理システム８１４は、コンピュータ可読媒体８０６に結合されたプロセッサ８０４を含む。プロセッサ８０４は、コンピュータ可読媒体８０６に記憶されたソフトウェアの実行を含む一般的な処理を担当する。ソフトウェアは、プロセッサ８０４によって実行されたとき、処理システム８１４に、特定の装置のための上記で説明した様々な機能を実行させる。コンピュータ可読媒体８０６はまた、ソフトウェアを実行するときにプロセッサ８０４によって操作されるデータを記憶するために使用され得る。処理システムは、モジュール７０４、７０６、７０８、７１０、および７１２のうちの少なくとも１つをさらに含む。それらのモジュールは、プロセッサ８０４中で動作し、コンピュータ可読媒体８０６中に常駐する／記憶された、ソフトウェアモジュールであるか、プロセッサ８０４に結合された１つまたは複数のハードウェアモジュールであるか、またはそれらの何らかの組合せであり得る。一態様では、処理システム８１４は、通信デバイス６００の構成要素であり得、メモリ６１０、および／またはプロセッサ６０６と、デバイスホスト６３４と、ＮＦＣコントローラ６３０と、ＮＦＣ技術検出モジュールとのうちの少なくとも１つを含み得る。
【００６０】
[0067]  一構成では、ワイヤレス通信のための装置７０２／７０２’は、ＮＦＣ対応デバイスにおいて、技術検出プロセスの一部としてＮＦＣ対応デバイスによって変調されないＲＦ電界を起こすための手段と、待機持続時間の少なくとも一部分の間ＲＦ電界を監視するための手段と、待機持続時間中に、ＮＦＣ技術の変調特性に一致する様式でＲＦ電界が変調されるかどうかを判断するための手段と、ＮＦＣ技術の変調特性に一致する様式ＲＦ電界が変調されるという判断時に技術検出プロセスを終了するための手段とを含む。一態様では、装置７０２／７０２’は、待機持続時間の満了時に技術検出プロセスを続けるための手段をさらに含み得る。一態様では、装置７０２／７０２’の続けるための手段は、ＮＦＣ技術の変調特性に一致する様式でＲＦ電界が変調されないという判断時に、および待機持続時間の満了時に技術検出プロセスを続けることを行うように構成され得る。一態様では、装置７０２／７０２’の判断するための手段は、データを受信することと、ここにおいて、データの少なくとも一部分が待機持続時間の満了より前に受信される、データを処理することと、データを上位レイヤに通知することとを行うようにさらに構成され得る。
【００６１】
[0068]  別の構成では、ワイヤレス通信のための装置７０２／７０２’は、ライターアプリケーションから、ＮＤＥＦヘッダとデータとを含み、リモートＮＦＣデバイス上に書き込まれることを意図される完全ＮＤＥＦメッセージを受信するための手段と、１つまたは複数のコンテキストファクタに基づいて、リモートＮＦＣデバイスが完全ＮＤＥＦメッセージの変更バージョンを受信するように構成されたと判断するための手段と、完全ＮＤＥＦメッセージからＮＤＥＦヘッダの少なくとも一部分を削除することによって完全ＮＤＥＦメッセージの変更バージョンを生成するための手段とを含む。一態様では、装置７０２／７０２’は、リモートＮＦＣデバイスに完全ＮＤＥＦメッセージの変更バージョンを送信するための手段をさらに含み得る。一態様では、装置７０２／７０２’の生成するための手段は、完全ＮＤＥＦメッセージからＮＤＥＦヘッダの少なくとも一部分を削除するようにさらに構成され得る。
【００６２】
[0069]  上記で説明したように、処理システム８１４は、プロセッサ６０６、デバイスホスト６３４、ＮＦＣコントローラ６３０および／またはＮＦＣ技術検出モジュール６６０を含み得る。したがって、一構成では、上述の手段は、上述の手段によって具陳された機能を実行するように構成されたプロセッサ６０６、デバイスホスト６３４、ＮＦＣコントローラ６３０および／またはＮＦＣ技術検出モジュール６６０であり得る。
【００６３】
[0070]  本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、ならびに／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００６４】
[0071]  さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、モバイル機器（ＭＥ）、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００６５】
[0072]  さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とで使用する冠詞「ａ」および「ａｎ」は、別段に規定されていない限り、または単数形を対象とすることが文脈から明らかでない限り、概して「１つまたは複数」を意味するものと解釈されるべきである。
【００６６】
[0073]  本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ：3rd Generation Partnership Project）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）、ＮＦＣ技術タイプ（ＮＦＣ−Ａ、ＮＦＣ−Ｂ、ＮＦＣ−Ｆなど）、および任意の他の短距離または長距離ワイヤレス通信技法をしばしば使用するピアツーピア（たとえば、モバイルツーモバイル）アドホックネットワークシステムをさらに含み得る。
【００６７】
[0074]  様々な態様または特徴が、いくつかのデバイス、構成要素、モジュールなどを含み得るシステムに関して提示される。様々なシステムは、追加のデバイス、構成要素、モジュールなどを含み得、および／または各図に関連して論じるデバイス、構成要素、モジュールなどのすべてを含まないことがあることを理解し、諒解されたい。これらの手法の組合せも使用され得る。
【００６８】
[0075]  本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように構成可能な１つまたは複数のモジュールを備え得る。
【００６９】
[0076]  さらに、本明細書で開示した態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００７０】
[0077]  １つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７１】
[0078]  上記の開示は、例示的な態様および／または態様について論じたが、添付の特許請求の範囲によって定義された説明した態様および／または態様の範囲から逸脱することなく、様々な変更および改変を本明細書で行うことができることに留意されたい。さらに、説明した態様および／または態様の要素は、単数形で説明または請求されていることがあるが、単数形への限定が明示的に述べられていない限り、複数形が企図される。さらに、態様および／または態様の全部または一部は、別段に記載されていない限り、他の態様および／または態様の全部または一部とともに利用され得る。
以下に、本願の出願当初の特許請求の範囲に記載された発明を付記する。
［Ｃ１］
ニアフィールド通信（ＮＦＣ）対応デバイスにおいて、技術検出プロセスの一部として前記ＮＦＣ対応デバイスによって変調されない無線周波数（ＲＦ）電界を起動することと、
待機持続時間の少なくとも一部分の間前記ＲＦ電界を監視することと、
前記待機持続時間中に、ＮＦＣ技術の変調特性に一致する様式で前記ＲＦ電界が変調されるかどうかを判断することと、
前記ＮＦＣ技術の変調特性に一致する様式前記ＲＦ電界が変調されるとの前記判断時に前記技術検出プロセスを終了することと
を備える、ワイヤレス通信の方法。
［Ｃ２］
前記ＮＦＣ技術が、ＮＦＣタイプ−Ａ、ＮＦＣタイプ−Ｂ、またはＮＦＣタイプ−Ｆのうちの少なくとも１つに基づく、Ｃ１に記載の方法。
［Ｃ３］
前記待機持続時間の満了時に前記技術検出プロセスを続けること
をさらに備える、Ｃ１に記載の方法。
［Ｃ４］
前記ＮＦＣ技術の変調特性に一致する様式で前記ＲＦ電界が変調されないとの判断時に、および前記待機持続時間の満了時に前記技術検出プロセスを続けること
をさらに備える、Ｃ１に記載の方法。
［Ｃ５］
前記ＲＦ電界がタグトークファースト（ＴＴＦ）デバイスによって変調される、Ｃ１に記載の方法。
［Ｃ６］
前記ＮＦＣ対応デバイスが、前記ＴＴＦデバイスを検出するように構成され、ここにおいて、前記待機持続時間がＴＴＦデバイス定義持続時間である、Ｃ５に記載の方法。
［Ｃ７］
前記待機持続時間が、前記技術検出プロセスの一部として定義されるガードタイムである、Ｃ１に記載の方法。
［Ｃ８］
前記待機持続時間が、前記技術検出プロセスの一部として定義されるガードタイム、またはＴＴＦデバイス定義持続時間のいずれよりも長い持続時間として選択される、Ｃ１に記載の方法。
［Ｃ９］
前記ＲＦ電界は、前記ＮＦＣ技術の前記変調特性に関連する負荷がしきい値を上回るときに変調されると判断される、Ｃ１に記載の方法。
［Ｃ１０］
前記判断することは、
データを受信することと、ここにおいて、前記データの少なくとも一部分が前記待機持続時間の満了より前に受信される、
前記データを処理することと、
前記データを上位レイヤに通知することと
をさらに備える、Ｃ１に記載の方法。
［Ｃ１１］
ニアフィールド通信（ＮＦＣ）対応デバイスにおいて、技術検出プロセスの一部として前記ＮＦＣ対応デバイスによって変調されない無線周波数（ＲＦ）電界を起動することと、
待機持続時間の少なくとも一部分の間前記ＲＦ電界を監視することと、
前記待機持続時間中に、ＮＦＣ技術の変調特性に一致する様式で前記ＲＦ電界が変調されるかどうかを判断することと、
前記ＮＦＣ技術の変調特性に一致する様式前記ＲＦ電界が変調されるとの前記判断時に前記技術検出プロセスを終了することと
を行うためのコードを備えるコンピュータ可読媒体
を備える、コンピュータプログラム製品。
［Ｃ１２］
前記ＮＦＣ技術が、ＮＦＣタイプ−Ａ、ＮＦＣタイプ−Ｂ、またはＮＦＣタイプ−Ｆのうちの少なくとも１つに基づく、Ｃ１１に記載のコンピュータプログラム製品。
［Ｃ１３］
前記コンピュータ可読媒体が、
前記待機持続時間の満了時に前記技術検出プロセスを続けること
を行うためのコードをさらに備える、Ｃ１１に記載のコンピュータプログラム製品。
［Ｃ１４］
前記コンピュータ可読媒体は、
前記ＮＦＣ技術の変調特性に一致する様式で前記ＲＦ電界が変調されないとの判断時に、および前記待機持続時間の満了時に前記技術検出プロセスを続けること
を行うためのコードをさらに備える、Ｃ１１に記載のコンピュータプログラム製品。
［Ｃ１５］
前記ＲＦ電界がタグトークファースト（ＴＴＦ）デバイスによって変調される、Ｃ１１に記載のコンピュータプログラム製品。
［Ｃ１６］
前記ＮＦＣ対応デバイスが、前記ＴＴＦデバイスを検出するように構成され、ここにおいて、前記待機持続時間がＴＴＦデバイス定義持続時間である、Ｃ１５に記載のコンピュータプログラム製品。
［Ｃ１７］
前記待機持続時間が、前記技術検出プロセスの一部として定義されるガードタイムである、Ｃ１１に記載のコンピュータプログラム製品。
［Ｃ１８］
前記待機持続時間が、前記技術検出プロセスの一部として定義されるガードタイム、またはＴＴＦデバイス定義持続時間のいずれよりも長い持続時間として選択される、Ｃ１１に記載のコンピュータプログラム製品。
［Ｃ１９］
前記ＲＦ電界は、前記ＮＦＣ技術の前記変調特性に関連する負荷がしきい値を上回るときに変調されると判断される、Ｃ１１に記載のコンピュータプログラム製品。
［Ｃ２０］
前記コンピュータ可読媒体は、
データを受信することと、ここにおいて、前記データの少なくとも一部分が前記待機持続時間の満了より前に受信される、
前記データを処理することと、
前記データを上位レイヤに通知することと
を行うためのコードをさらに備える、Ｃ１１に記載のコンピュータプログラム製品。
［Ｃ２１］
ニアフィールド通信（ＮＦＣ）対応デバイスにおいて、技術検出プロセスの一部として前記ＮＦＣ対応デバイスによって変調されない無線周波数（ＲＦ）電界を起動するための手段と、
待機持続時間の少なくとも一部分の間前記ＲＦ電界を監視するための手段と、
前記待機持続時間中に、ＮＦＣ技術の変調特性に一致する様式で前記ＲＦ電界が変調されるかどうかを判断するための手段と、
前記ＮＦＣ技術の変調特性に一致する様式前記ＲＦ電界が変調されるとの前記判断時に前記技術検出プロセスを終了するための手段と
を備える、通信のための装置。
［Ｃ２２］
前記ＮＦＣ技術が、ＮＦＣタイプ−Ａ、ＮＦＣタイプ−Ｂ、またはＮＦＣタイプ−Ｆのうちの少なくとも１つに基づく、Ｃ２１に記載の装置。
［Ｃ２３］
前記待機持続時間の満了時に前記技術検出プロセスを続けるための手段
をさらに備える、Ｃ２１に記載の装置。
［Ｃ２４］
前記ＮＦＣ技術の変調特性に一致する様式で前記ＲＦ電界が変調されないとの判断時に、および前記待機持続時間の満了時に前記技術検出プロセスを続けるための手段
をさらに備える、Ｃ２１に記載の装置。
［Ｃ２５］
前記ＲＦ電界がタグトークファースト（ＴＴＦ）デバイスによって変調される、Ｃ２１に記載の装置。
［Ｃ２６］
前記ＮＦＣ対応デバイスが、前記ＴＴＦデバイスを検出するように構成され、ここにおいて、前記待機持続時間がＴＴＦデバイス定義持続時間である、Ｃ２５に記載の装置。
［Ｃ２７］
前記待機持続時間が、前記技術検出プロセスの一部として定義されるガードタイムである、Ｃ２１に記載の装置。
［Ｃ２８］
前記待機持続時間が、前記技術検出プロセスの一部として定義されるガードタイム、またはＴＴＦデバイス定義持続時間のいずれよりも長い持続時間として選択される、Ｃ２１に記載の装置。
［Ｃ２９］
前記ＲＦ電界は、前記ＮＦＣ技術の前記変調特性に関連する負荷がしきい値を上回るときに変調されると判断される、Ｃ２１に記載の装置。
［Ｃ３０］
判断するための前記手段は、
データを受信することと、ここにおいて、前記データの少なくとも一部分が前記待機持続時間の満了より前に受信される、
前記データを処理することと、
前記データを上位レイヤに通知することと
を行うようにさらに構成された、Ｃ２１に記載の装置。
［Ｃ３１］
ニアフィールド通信（ＮＦＣ）通信のための装置であって、
トランシーバと、
メモリと、
前記メモリに結合されたプロセッサと、
前記メモリまたは前記プロセッサのうちの少なくとも１つに結合され、
技術検出プロセスの一部としてＮＦＣ対応デバイスによって変調されない無線周波数（ＲＦ）電界を起動することと、
待機持続時間の少なくとも一部分の間前記ＲＦ電界を監視することと、
前記待機持続時間中に、ＮＦＣ技術の変調特性に一致する様式で前記ＲＦ電界が変調されるかどうかを判断することと、
前記ＮＦＣ技術の変調特性に一致する様式前記ＲＦ電界が変調されるとの前記判断時に前記技術検出プロセスを終了することと
を行うように構成されたＮＦＣ技術検出モジュールと
を備える、装置。
［Ｃ３２］
前記ＮＦＣ技術が、ＮＦＣタイプ−Ａ、ＮＦＣタイプ−Ｂ、またはＮＦＣタイプ−Ｆのうちの少なくとも１つに基づく、Ｃ３１に記載の装置。
［Ｃ３３］
前記ＮＦＣ技術検出モジュールが、
前記待機持続時間の満了時に前記技術検出プロセスを続けること
を行うようにさらに構成された、Ｃ３１に記載の装置。
［Ｃ３４］
前記ＮＦＣ技術検出モジュールは、
前記ＮＦＣ技術の変調特性に一致する様式で前記ＲＦ電界が変調されないとの判断時に、および前記待機持続時間の満了時に前記技術検出プロセスを続けること
を行うようにさらに構成された、Ｃ３１に記載の装置。
［Ｃ３５］
前記ＲＦ電界がタグトークファースト（ＴＴＦ）デバイスによって変調される、Ｃ３１に記載の装置。
［Ｃ３６］
前記ＮＦＣ対応デバイスが、前記ＴＴＦデバイスを検出するように構成され、ここにおいて、前記待機持続時間がＴＴＦデバイス定義持続時間である、Ｃ３５に記載の装置。
［Ｃ３７］
前記待機持続時間が、前記技術検出プロセスの一部として定義されるガードタイムである、Ｃ３１に記載の装置。
［Ｃ３８］
前記待機持続時間が、前記技術検出プロセスの一部として定義されるガードタイム、またはＴＴＦデバイス定義持続時間のいずれよりも長い持続時間として選択される、Ｃ３１に記載の装置。
［Ｃ３９］
前記ＲＦ電界は、前記ＮＦＣ技術の前記変調特性に関連する負荷がしきい値を上回るときに変調されると判断される、Ｃ３１に記載の装置。
［Ｃ４０］
前記ＮＦＣ技術検出モジュールは、
データを受信することと、ここにおいて、前記データの少なくとも一部分が前記待機持続時間の満了より前に受信される、
前記データを処理することと、
前記データを上位レイヤに通知することと
を行うようにさらに構成された、Ｃ３１に記載の装置。
【図１】
0006328651.tif 000002
【図２】
0006328651.tif 000003
【図３】
0006328651.tif 000004
【図４】
0006328651.tif 000005
【図５】
0006328651.tif 000006
【図６】
0006328651.tif 000007
【図７】
0006328651.tif 000008
【図８】
0006328651.tif 000009